(57)【要約】【課題】通信規制状態において、基地局の負担を抑制するとともに、緊急の場合、通信相手に対して最小限の連絡をすることができる通信システム、基地局、及び通信方法を提供すること。【解決手段】通信システム１の基地局１０は、規制部１７による通信規制状態において、第１通信部１５により携帯電話機２０から所定の宛先への発呼要求を受信した場合、所定の宛先に携帯電話機２０からの発呼を示す発呼要求情報を送信させ、この発呼要求に基づく携帯電話機２０との通信を切断する第２制御部２８を備える。【選択図】図２
2012023642.tif 000002
【特許請求の範囲】
【請求項１】
基地局と、通信ネットワークを介して前記基地局と通信を行う携帯端末装置とを備える通信システムであって、
前記基地局は、
前記携帯端末装置と通信を行う第１通信部と、
前記携帯端末装置による通信を規制する規制部と、
前記規制部による通信規制状態において、前記第１通信部により前記携帯端末装置から所定の宛先への発呼要求を受信した場合、当該所定の宛先に前記携帯端末装置からの発呼を示す発呼要求情報を送信させ、前記発呼要求に基づく前記携帯端末装置との通信を切断する第１制御部と、を備える通信システム。
【請求項２】
前記第１制御部は、
前記第１通信部により前記発呼要求を受信した場合、前記携帯端末装置に前記発呼要求に基づく通信を切断する切断要求を送信させ、
前記携帯端末装置は、
前記基地局と通信を行う第２通信部と、
前記第２通信部により前記基地局から前記切断要求を受信した場合に、前記基地局との通信を切断させる第２制御部と、を備える請求項１に記載の通信システム。
【請求項３】
前記第１制御部は、
前記規制部による通信規制状態において、前記第１通信部により前記発呼要求を受信した際に、当該発呼要求が緊急発呼要求であるかを判定し、前記発呼要求が緊急発呼要求である場合、前記第１通信部に前記所定の宛先に対して前記発呼要求情報を送信させ、前記発呼要求が緊急発呼要求でない場合、前記第１通信部に当該所定の宛先に対して前記発呼要求情報を送信させない請求項２に記載の通信システム。
【請求項４】
前記第１制御部は、
前記規制部による通信規制状態において、前記第１通信部により前記発呼要求を受信した際に、当該発呼要求が緊急発呼要求であるか否かにかかわらず、前記携帯端末装置に前記切断要求を送信させる請求項３に記載の通信システム。
【請求項５】
前記第１制御部は、
前記規制部による通信規制状態において、前記第１通信部により前記発呼要求であるオリジネーションメッセージを受信した際に、前記携帯端末装置に前記切断要求であるリリースオーダーを送信させる請求項２から４のいずれか１項に記載の通信システム。
【請求項６】
前記第１制御部は、
前記発呼要求に含まれる前記所定の宛先である電話番号を利用して、前記第１通信部に、ショートメッセージサービス（ＳＭＳ）により前記発呼要求情報を送信させる請求項２から５のいずれか１項に記載の通信システム。
【請求項７】
前記基地局は、
特定の宛先を示す特定宛先情報を記憶する第１記憶部を更に備え、
前記第１制御部は、
前記規制部による通信規制状態において、前記第１通信部により前記発呼要求を受信した際に、前記所定の宛先が前記特定の宛先であるかを判定し、当該所定の宛先が前記特定の宛先であると判定した場合、前記第１通信部により前記切断要求を送信させず、前記携帯端末装置と当該所定の宛先との通信を接続する請求項２から５のいずれか１項に記載の通信システム。
【請求項８】
前記携帯端末装置は、
前記発呼要求の入力を受け付ける入力部と、
前記入力部により前記発呼要求の入力を受け付けた場合、所定の条件に基づいて、前記第２通信部による前記発呼要求の送信を規制する送信規制部と、を更に備え、
前記所定の条件は、前記発呼要求が緊急発呼要求の場合、前記発呼要求が非緊急発呼要求の場合に比べて満たし易い条件である請求項２又は３に記載の通信システム。
【請求項９】
前記携帯端末装置は、
前記発呼要求の送信を許可するか否かを決定するパーシステンステスト（Ｐｅｒｓｉｓｔｅｎｃｅ  Ｔｅｓｔ）の合格率を示す確率情報を記憶する第２記憶部を更に備え、
前記送信規制部は、
前記基地局から前記通信規制状態を示す規制信号及び前記確率情報を受信すると、前記第２記憶部に前記確率情報を記憶させ、
前記通信規制状態において、前記入力部により前記発呼要求の入力を受け付けた場合、前記確率情報に基づいて、前記パーシステンステストを実施し、前記パーシステンステストの結果に基づいて前記第２通信部による前記発呼要求の送信を規制し、
前記発呼要求が緊急発呼要求の場合の前記合格率は、前記発呼要求が非緊急発呼要求の場合の前記合格率に比べて高い請求項８に記載の通信システム。
【請求項１０】
複数の携帯端末装置間の通信に使用される通信ネットワークに設けられる基地局であって、
前記携帯端末装置と通信を行う通信部と、
前記携帯端末装置による通信を規制する規制部と、
前記規制部による通信規制状態において、前記通信部により前記携帯端末装置から所定の宛先への発呼要求を受信した場合、当該所定の宛先に対して前記携帯端末装置からの発呼を示す発呼要求情報を送信させ、前記発呼要求に基づく前記携帯端末装置との通信を切断する制御部と、を備える基地局。
【請求項１１】
基地局と、通信ネットワークを介して前記基地局と通信を行う携帯端末装置とを備える通信システムにおいて実行される通信方法であって、
前記基地局は、
前記携帯端末装置による通信を規制するステップと、
前記規制するステップにおいて通信規制状態とされた際に、前記携帯端末装置から所定の宛先への発呼要求を受信した場合、当該所定の宛先に対して前記携帯端末装置からの発呼を示す発呼要求情報を送信し、前記発呼要求に基づく前記携帯端末装置との通信を切断するステップとを含む通信方法。
【発明の詳細な説明】
【技術分野】
【０００１】
本発明は、通信システム、基地局、及び通信方法に関する。
【背景技術】
【０００２】
近年、携帯端末装置が普及したことに伴い、携帯端末装置が様々な場面における連絡手段として使用されている。例えば、新年の挨拶や、祭りや、花火大会等のイベントにおける連絡の手段として、携帯端末装置が使用されているが、この場合、同一の時間帯に多数のユーザにより携帯端末装置が使用されるので、通信ネットワークにおけるトラヒックが増大し、通信ネットワークに輻輳が発生するおそれがある。このような場合、携帯端末装置の基地局は、携帯端末装置からの通信を規制する。このため、通信規制状態においては、携帯端末装置から緊急呼を発信しても、通信接続が行われるまでに時間を要したり、通信接続が行われなかったりして、速やかに緊急連絡ができないおそれがある。
【０００３】
このような問題に対応するために、特許文献１では、通信ネットワークの輻輳等により通信が規制されている場合に、緊急呼が発信されたとき、緊急電話番号として登録された電話番号以外でも優先度を上げて発信を可能にする携帯端末装置が提案されている。
【先行技術文献】
【特許文献】
【０００４】
【特許文献１】特開２０００−３５８２７４号公報
【発明の概要】
【発明が解決しようとする課題】
【０００５】
しかしながら、特許文献１で提案された携帯端末装置は、通信ネットワークの輻輳が発生している状況において発信を可能にしても、通信ネットワークの輻輳により、確実に緊急連絡先に発信を行うことができない。よって、特許文献１で提案された携帯端末装置は、このような状況において、緊急連絡先に最小限の連絡ができないおそれがある。更に、特許文献１で提案された携帯端末装置では、通信ネットワークの輻輳が発生している状況において、緊急電話番号として登録された電話番号以外でも優先度を上げて発信を可能にするので、この通信ネットワークに設けられている基地局にかかる負荷を増大させるおそれがある。
【０００６】
本発明は、通信規制状態において、基地局の負担を抑制するとともに、緊急の場合、通信相手に対して最小限の連絡をすることができる通信システム、基地局、及び通信方法を提供することを目的とする。
【課題を解決するための手段】
【０００７】
本発明に係る通信システムは、基地局と、通信ネットワークを介して前記基地局と通信を行う携帯端末装置とを備える通信システムであって、前記基地局は、前記携帯端末装置と通信を行う第１通信部と、前記携帯端末装置による通信を規制する規制部と、前記規制部による通信規制状態において、前記第１通信部により前記携帯端末装置から所定の宛先への発呼要求を受信した場合、当該所定の宛先に前記携帯端末装置からの発呼を示す発呼要求情報を送信させ、前記発呼要求に基づく前記携帯端末装置との通信を切断する第１制御部と、を備える。
【０００８】
また、前記第１制御部は、前記第１通信部により前記発呼要求を受信した場合、前記携帯端末装置に前記発呼要求に基づく通信を切断する切断要求を送信させ、前記携帯端末装置は、前記基地局と通信を行う第２通信部と、前記第２通信部により前記基地局から前記切断要求を受信した場合に、前記基地局との通信を切断させる第２制御部と、を備えることが好ましい。
【０００９】
また、前記第１制御部は、前記規制部による通信規制状態において、前記第１通信部により前記発呼要求を受信した際に、当該発呼要求が緊急発呼要求であるかを判定し、前記発呼要求が緊急発呼要求である場合、前記第１通信部に前記所定の宛先に対して前記発呼要求情報を送信させ、前記発呼要求が緊急発呼要求でない場合、前記第１通信部に当該所定の宛先に対して前記発呼要求情報を送信させないことが好ましい。
【００１０】
また、前記第１制御部は、前記規制部による通信規制状態において、前記第１通信部により前記発呼要求を受信した際に、当該発呼要求が緊急発呼要求であるか否かにかかわらず、前記携帯端末装置に前記切断要求を送信させることが好ましい。
【００１１】
また、前記第１制御部は、前記規制部による通信規制状態において、前記第１通信部により前記発呼要求であるオリジネーションメッセージを受信した際に、前記携帯端末装置に前記切断要求であるリリースオーダーを送信させることが好ましい。
【００１２】
また、前記第１制御部は、前記発呼要求に含まれる前記所定の宛先である電話番号を利用して、前記第１通信部に、ショートメッセージサービス（ＳＭＳ）により前記発呼要求情報を送信させることが好ましい。
【００１３】
また、前記基地局は、特定の宛先を示す特定宛先情報を記憶する第１記憶部を更に備え、前記第１制御部は、前記規制部による通信規制状態において、前記第１通信部により前記発呼要求を受信した際に、前記所定の宛先が前記特定の宛先であるかを判定し、当該所定の宛先が前記特定の宛先であると判定した場合、前記第１通信部により前記切断要求を送信させず、前記携帯端末装置と当該所定の宛先との通信を接続することが好ましい。
【００１４】
また、前記携帯端末装置は、前記発呼要求の入力を受け付ける入力部と、前記入力部により前記発呼要求の入力を受け付けた場合、所定の条件に基づいて、前記第２通信部による前記発呼要求の送信を規制する送信規制部と、を更に備え、前記所定の条件は、前記発呼要求が緊急発呼要求の場合、前記発呼要求が非緊急発呼要求の場合に比べて満たし易い条件であることが好ましい。
【００１５】
また、前記携帯端末装置は、前記発呼要求の送信を許可するか否かを決定するパーシステンステスト（Ｐｅｒｓｉｓｔｅｎｃｅ  Ｔｅｓｔ）の合格率を示す確率情報を記憶する第２記憶部を更に備え、前記送信規制部は、前記基地局から前記通信規制状態を示す規制信号及び前記確率情報を受信すると、前記第２記憶部に前記確率情報を記憶させ、前記通信規制状態において、前記入力部により前記発呼要求の入力を受け付けた場合、前記確率情報に基づいて、前記パーシステンステストを実施し、前記パーシステンステストの結果に基づいて前記第２通信部による前記発呼要求の送信を規制し、前記発呼要求が緊急発呼要求の場合の前記合格率は、前記発呼要求が非緊急発呼要求の場合の前記合格率に比べて高いことが好ましい。
【００１６】
また、本発明に係る基地局は、複数の携帯端末装置間の通信に使用される通信ネットワークに設けられる基地局であって、前記携帯端末装置と通信を行う通信部と、前記携帯端末装置による通信を規制する規制部と、前記規制部による通信規制状態において、前記通信部により前記携帯端末装置から所定の宛先への発呼要求を受信した場合、当該所定の宛先に対して前記携帯端末装置からの発呼を示す発呼要求情報を送信させ、前記発呼要求に基づく前記携帯端末装置との通信を切断する制御部と、を備える。
【００１７】
また、本発明に係る通信方法は、基地局と、通信ネットワークを介して前記基地局と通信を行う携帯端末装置とを備える通信システムにおいて実行される通信方法であって、前記基地局は、前記携帯端末装置による通信を規制するステップと、前記規制するステップにおいて通信規制状態とされた際に、前記携帯端末装置から所定の宛先への発呼要求を受信した場合、当該所定の宛先に対して前記携帯端末装置からの発呼を示す発呼要求情報を送信し、前記発呼要求に基づく前記携帯端末装置との通信を切断するステップとを含む。
【発明の効果】
【００１８】
本発明によれば、通信規制状態において、基地局の負担を抑制するとともに、緊急の場合、通信相手に対して最小限の連絡をすることができる。
【図面の簡単な説明】
【００１９】
【図１】本実施形態に係る通信システムの構成を示す図である。
【図２】本実施形態に係る基地局と、携帯電話機との機能構成を示すブロック図である。
【図３】通信規制状態において、従来の携帯電話機が発呼要求を送信してから通信が切断されるまでの従来の処理の流れを示すシーケンス図である。
【図４】通信規制状態において、本実施形態に係る携帯電話機が発呼要求を送信してから通信が切断されるまでの処理の流れを示すシーケンス図である。
【図５】本実施形態に係る規制部による通信規制状態における、携帯電話機及び基地局の発呼要求に係る処理の流れの一例を示すフローチャートである。
【発明を実施するための形態】
【００２０】
以下、図面を参照して本発明を実施するための形態を説明する。
【００２１】
図１は、本実施形態に係る通信システム１の構成を示す図である。
通信システム１は、複数の基地局１０と、複数の携帯端末装置としての携帯電話機２０と、を備える。複数の基地局１０は、交換機、電話回線、インターネット等により構成されている通信ネットワークＮを介して接続されており、通信ネットワークＮが輻輳状態又は輻輳状態に近い状態である場合に、通信規制を行い、携帯電話機２０の通信を制御する。複数の携帯電話機２０は、複数の基地局１０、及び通信ネットワークＮを介して、互いに通信を行う。
【００２２】
図２は、本実施形態に係る基地局１０と、携帯電話機２０との機能構成を示すブロック図である。
【００２３】
基地局１０は、第１通信部１５と、第１記憶部１６と、規制部１７と、第１制御部１８と、を備える。
【００２４】
第１通信部１５は、所定の使用周波数帯（例えば、２ＧＨｚ帯や８００ＭＨｚ帯等）で携帯電話機２０と通信を行う。具体的には、第１通信部１５は、この使用周波数帯において、所定数設けられているチャネルのうち、いずれかのチャネルを用いて、携帯電話機２０と通信を行う。また、第１通信部１５は、通信ネットワークＮを介して、他の基地局１０と通信を行う。
【００２５】
第１記憶部１６は、特定の宛先を示す特定宛先情報を記憶する。特定の宛先は、例えば、警察、消防等の公共の緊急連絡先の電話番号である。
【００２６】
規制部１７は、通信ネットワークＮが輻輳状態又は輻輳状態に近い状態である場合に、携帯電話機２０による通信を規制する。
具体的には、規制部１７は、第１通信部１５において使用されているチャネルの数を監視し、使用されているチャネルが所定数以上に達した場合、通信ネットワークＮが輻輳状態又は輻輳状態に近い状態であると判定する。また、規制部１７は、第１通信部１５を介して、基地局１０と直接接続されている通信ネットワークＮ上の交換機が輻輳状態であるか否かを判定し、この交換機が輻輳状態である場合、通信ネットワークＮが輻輳状態であると判定する。
【００２７】
第１制御部１８は、基地局１０の全体を制御しており、例えば、第１通信部１５等に対して所定の制御を行う。また、第１制御部１８は、規制部１７による通信規制状態において、携帯電話機２０との通信制御を行う。第１制御部１８の詳細な機能については後述する。
【００２８】
携帯電話機２０は、表示部２１と、入力部としての操作部２２と、入力部としての緊急操作部２３と、音声部２４と、第２通信部２５と、第２記憶部２６と、第２制御部及び送信規制部としての第２制御部２８と、を備える。
【００２９】
表示部２１は、第２制御部２８の制御に従って、所定の画像処理を行い、処理後の画像データをフレームメモリ（図示省略）に蓄え、所定のタイミングでディスプレイに出力する。
【００３０】
操作部２２は、各種設定機能、電話帳機能、メール機能、ショートメッセージ機能等の各種機能を作動させるための機能設定操作ボタン、電話番号の数字や、メールやショートメッセージの文字等を入力するための入力操作ボタン、各種操作における決定やスクロール等を行う決定操作ボタン等から構成される。また、ユーザから発呼要求やメール送信等の各種指示入力を操作部２２により受け付け、受け付けられた入力情報は、第２制御部２８へ供給される。
【００３１】
緊急操作部２３は、緊急発呼要求の入力を受け付ける入力操作ボタン等から構成される。また、ユーザから緊急発呼要求の入力を緊急操作部２３により受け付けたことに応じて、受け付けられた入力情報は、第２制御部２８へ供給される。なお、緊急操作部２３の例として、防犯ブザー等がある。
【００３２】
音声部２４は、第２制御部２８の制御に従って、第２通信部２５から供給された信号に対して所定の音声処理を行い、処理後の信号をスピーカ（図示せず）に出力する。また、音声部２４は、第２制御部２８の制御に従って、マイク（図示せず）から入力された信号を処理し、処理後の信号を第２通信部２５へ出力する。
【００３３】
第２通信部２５は、所定の使用周波数帯（例えば、２ＧＨｚ帯や８００ＭＨｚ帯等）で外部装置（基地局１０）と通信を行う。そして、第２通信部２５は、アンテナ（図示せず）より受信した信号を復調処理し、処理後の信号を第２制御部２８に供給する。また、第２通信部２５は、第２制御部２８から供給された信号を変調処理し、外部装置（基地局１０）に送信する。
【００３４】
第２記憶部２６は、例えば、ワーキングメモリを含み、第２制御部２８による演算処理に利用される。また、第２記憶部２６は、本実施形態に係る各種情報、プログラム、テーブル等を記憶する。
【００３５】
具体的には、第２記憶部２６は、緊急電話番号を記憶する。この緊急電話番号は、例えば、警察、消防等の公共の緊急連絡先、及び携帯電話機２０のユーザの保護者等の私的な緊急連絡先である。私的な緊急連絡先は、携帯電話機２０のユーザが適宜設定可能である。
また、第２記憶部２６は、操作部２２又は緊急操作部２３による発呼要求の入力を受け付けた際に実行されるパーシステンステスト（Ｐｅｒｓｉｓｔｅｎｃｅ  Ｔｅｓｔ）の合格率を示す確率情報を記憶する。ここで、パーシステンステストとは、発呼要求を許可するか否かを決定するテストをいう。なお、第２記憶部２６は、着脱可能な外部メモリを兼ねていてもよい。
【００３６】
第２制御部２８は、携帯電話機２０の全体を制御しており、例えば、表示部２１、音声部２４、第２通信部２５等に対して所定の制御を行う。また、第２制御部２８は、操作部２２、緊急操作部２３等から入力を受け付けて、各種処理を実行する。また、第２制御部２８は、処理実行の際には、第２記憶部２６を制御し、各種プログラム及びデータの読み出し、並びにデータの書き込みを行う。また、第２制御部２８は、基地局１０の規制部１７による通信規制状態において、携帯電話機２０の通信制御を行う。第２制御部２８の詳細な機能については後述する。
【００３７】
本実施形態に係る通信システム１では、上述したように、通信規制状態において、第１制御部１８及び第２制御部２８が携帯電話機２０の通信制御を行う。以下に、第１制御部１８及び第２制御部２８の動作について説明する。
【００３８】
第２制御部２８は、操作部２２により発呼要求の入力を受け付けた場合、及び緊急操作部２３により緊急発呼要求の入力を受け付けた場合、所定の条件に基づいて、第２通信部２５による発呼要求の送信を規制する。ここで、所定の条件は、発呼要求が緊急発呼要求の場合、発呼要求が非緊急発呼要求の場合に比べて満たし易い条件である。
【００３９】
具体的には、第２制御部２８は、基地局１０から通信規制状態を示す規制信号及び確率情報を受信すると、第２記憶部２６に確率情報を記憶させる。
続いて、第２制御部２８は、通信規制状態において、操作部２２により発呼要求の入力を受け付けた場合、及び緊急操作部２３により緊急発呼要求の入力を受け付けた場合、第２通信部２５によりパーシステンステストを実施する。すなわち、第２制御部２８は、発呼要求及び緊急発呼要求を受け付けた場合、第２記憶部２６に記憶されている確率情報に基づいてパーシステンステストを実施し、このパーシステンステストの結果に基づいて、第２通信部２５による発呼要求の送信を規制する。なお、発呼要求が緊急発呼要求の場合の合格率は、基地局１０により発呼要求が非緊急発呼要求の場合の合格率に比べて高く設定されている。
【００４０】
つまり、第２制御部２８は、パーシステンステストに合格したと判定した場合、第２通信部２５により発呼要求又は緊急発呼要求を行う。第２制御部２８は、緊急操作部２３により緊急発呼要求の入力を受け付けた場合、第２通信部２５に緊急呼扱いとして発呼要求を送信させる。発呼要求は、この発呼要求を行った携帯電話機２０の宛先（電話番号）と、所定の宛先（電話番号）と、この発呼要求が緊急発呼要求であるか否かを区別する緊急発呼要求フラグとを含んで構成されている。
【００４１】
続いて、第２制御部２８は、緊急操作部２３により緊急発呼要求の入力を受け付けた場合、発呼要求に含まれている緊急発呼要求フラグをＯＮにして、発呼要求を送信する。なお、第２制御部２８は、操作部２２により発呼要求の入力を受け付けた場合、発呼要求に含まれている緊急発呼要求フラグをＯＦＦにして、発呼要求を送信する。
【００４２】
続いて、第１制御部１８は、規制部１７による通信規制状態において、第１通信部１５により携帯電話機２０から所定の宛先への発呼要求を受信した場合、この所定の宛先に、携帯電話機２０からの発呼を示す発呼要求情報を送信させ、発呼要求に基づく携帯電話機２０との通信を切断する。
また、第１制御部１８は、第１通信部１５により発呼要求を受信した場合、携帯電話機２０に発呼要求に基づく通信を切断する切断要求を送信させる。
【００４３】
具体的には、第１制御部１８は、規制部１７による通信規制状態において、第１通信部１５により発呼要求を受信した際に、この発呼要求が緊急発呼要求であるか否かを判定する。すなわち、第１制御部１８は、規制部１７による通信規制状態において、第１通信部１５により発呼要求を受信した際に、発呼要求に含まれる緊急発呼要求フラグがＯＮであるか否かを判定し、この緊急発呼要求フラグがＯＮの場合に、緊急発呼要求であると判定する。第１制御部１８は、発呼要求が緊急発呼要求である場合、第１通信部１５に所定の宛先に対して発呼要求情報を送信させる。
【００４４】
より具体的には、第１制御部１８は、発呼要求に含まれている所定の宛先である電話番号を利用して、第１通信部１５に、ショートメッセージ機能（ショートメッセージサービス：ＳＭＳ）により発呼要求情報を所定の宛先に送信させる。ショートメッセージの内容には、例えば、「０９０−ＸＸＸＸ−ＸＸＸＸから緊急発呼がありました。」というように、緊急発呼要求を行った携帯電話機２０の宛先としての電話番号を含む。また、発呼要求情報を受信した他の携帯電話機２０において、電話帳機能を使用して、ショートメッセージの内容に含まれる電話番号を、この電話番号に対応するユーザ名に変換したり、対応付けたりして、ショートメッセージを表示させるようにしてもよい。
【００４５】
また、第１制御部１８は、発呼要求が緊急発呼要求ではない場合、第１通信部１５に所定の宛先に対して発呼要求情報を送信させない制御を行う。
【００４６】
また、第１制御部１８は、規制部１７による通信規制状態において、第１通信部１５により発呼要求を受信した際に、この発呼要求が緊急発呼要求であるか否かにかかわらず、携帯電話機２０に切断要求を送信させる。
【００４７】
続いて、第２制御部２８は、第２通信部２５により基地局１０から切断要求を受信した場合に、基地局１０との通信を切断させる。なお、第２制御部２８は、この切断要求を受信できなかった場合、一定時間経過後に、タイムアウトとして第２通信部２５による基地局１０との通信を切断させる。
【００４８】
なお、第１制御部１８は、規制部１７による通信規制状態において、第１通信部１５により発呼要求を受信した際に、この発呼要求が緊急発呼要求であるか否かにかかわらず、携帯電話機２０に切断要求を送信させることとしたが、これに限らない。
【００４９】
例えば、第１制御部１８は、規制部１７による通信規制状態において、第１通信部１５により発呼要求を受信した際に、所定の宛先が、第１記憶部１６に記憶されている特定の宛先（緊急電話番号）であるか否かを判定し、所定の宛先が特定の宛先であると判定した場合、第１通信部１５により切断要求を送信させず、携帯電話機２０と所定の宛先との通信を接続するようにしてもよい。また、第１制御部１８は、所定の宛先が第１記憶部１６に記憶されている特定の宛先ではないと判定した場合に、携帯電話機２０に切断要求を送信するようにしてもよい。
【００５０】
このようにすることで、第１制御部１８は、輻輳の原因となり得る不要な発呼要求について切断し、緊急性が高い発呼要求のみ接続するので、基地局の負担を抑制し、輻輳の解消を促進することができる。
【００５１】
［処理フロー］
続いて、図３を参照して、従来の携帯電話機と基地局とにおける発呼要求から切断要求までの処理の流れについて説明する。
図３は、通信規制状態において、従来の携帯電話機が発呼要求を送信してから通信が切断されるまでの従来の処理の流れを示すシーケンス図である。
【００５２】
ステップＳ１において、携帯電話機は、アクセスチャネルを介して、オリジネーションメッセージ（Ｏｒｉｇｉｎａｔｉｏｎ  Ｍｅｓｓａｇｅ）を基地局に送信する。
ステップＳ２において、基地局は、トラヒックチャネルをセットアップし、基地局認知指令（Ｂａｓｅ  Ｓｔａｔｉｏｎ  Ａｃｋｎｏｗｌｅｄｇｅｍｅｎｔ  Ｏｒｄｅｒ）を携帯電話機に送信し、ステップＳ３において、（拡張）チャネル割当メッセージ（（Ｅｘｔｅｎｄｅｄ）  Ｃｈａｎｎｅｌ  Ａｓｓｉｇｎｍｅｎｔ  Ｍｅｓｓａｇｅ）を携帯電話機に送信する。
【００５３】
ステップＳ４において、携帯電話機は、トラヒックチャネルプリアンブル（Ｔｒａｆｆｉｃ  Ｃｈａｎｎｅｌ  Ｐｒｅａｍｂｌｅ）を基地局に送信する。
ステップＳ５において、基地局は、基地局認知指令を携帯電話機に送信し、ステップＳ６において、携帯電話機は、携帯機認知指令（Ｍｏｂｉｌｅ  Ｓｔａｔｉｏｎ  Ａｃｋｎｏｗｌｅｄｇｅｍｅｎｔ  Ｏｒｄｅｒ）を基地局に送信する。
【００５４】
ステップＳ７において、基地局は、サービス接続メッセージ（Ｓｅｒｖｉｃｅ  Ｃｏｎｎｅｃｔ  Ｍｅｓｓａｇｅ）を携帯電話機に送信し、ステップＳ８において、携帯電話機は、サービス接続完了メッセージ（Ｓｅｒｖｉｃｅ  Ｃｏｎｎｅｃｔ  Ｃｏｍｐｌｅｔｉｏｎ  Ｍｅｓｓａｇｅ）を基地局に送信する。
【００５５】
ステップＳ９において、基地局は、通信ネットワークＮが通信規制状態であることから、インフォメーションメッセージ（Ｆｌａｓｈ  ｗｉｔｈ  Ｉｎｆｏｒｍａｔｉｏｎ  Ｍｅｓｓａｇｅ）によって、通信を切断する旨のメッセージ（Ｉｎｆｏｍａｔｉｏｎ  Ｒｅｃｏｒｄ  ＝  Ｒｅｌｅａｓｅ）を携帯電話機に送信する。
【００５６】
ステップＳ１０では、携帯電話機は、切断要求であるリリースオーダー（Ｒｅｌｅａｓｅ  Ｏｒｄｅｒ）を基地局に送信し、更に、基地局から、携帯電話機に対してリリースオーダー（Ｒｅｌｅａｓｅ  Ｏｒｄｅｒ）を送信することで、互いに通信の切断を行う。
【００５７】
このように、従来の処理では、ステップＳ１からステップＳ８の処理で、サービスの接続を行ってから、通信の切断を行うため、例え切断処理を行う場合であっても、基地局における負荷は多大なものとなる。
【００５８】
続いて、図４を参照して、本実施形態に係る携帯電話機２０と基地局１０とにおける発呼要求から切断要求までの処理の流れについて説明する。
図４は、通信規制状態において、本実施形態に係る携帯電話機２０が発呼要求を送信してから通信が切断されるまでの処理の流れを示すシーケンス図である。
【００５９】
ステップＳ２１において、携帯電話機２０は、発呼要求であるオリジネーションメッセージ（Ｏｒｉｇｉｎａｔｉｏｎ  Ｍｅｓｓａｇｅ）を、アクセスチャネルを介して基地局１０に送信する。
ステップＳ２２において、基地局１０は、トラヒックチャネルのセットアップを行わずに、アクセスチャネルに係るメッセージを基地局認知指令（Ｂａｓｅ  Ｓｔａｔｉｏｎ  Ａｃｋｎｏｗｌｅｄｇｅｍｅｎｔ  Ｏｒｄｅｒ）として、携帯電話機２０に送信する。
【００６０】
ステップＳ２３において、基地局１０は、携帯電話機２０に発呼要求に対する切断要求（Ｒｅｌｅａｓｅ  Ｏｒｄｅｒ）を送信する。続いて、携帯電話機２０は、切断要求を受信し、基地局１０との通信を切断する。
【００６１】
なお、基地局１０は、この切断要求の後に、携帯電話機２０に情報を送信しないので、携帯電話機２０の第２制御部２８は、この切断要求を受信できなかった場合、一定時間経過後に、タイムアウトとして第２通信部２５による通信を切断させる。
【００６２】
このように、本実施形態では、従来例のように、サービスの接続を行わずに、リリースオーダーを送信して通信の切断を行うため、基地局１０における負荷を抑制することができる。
【００６３】
続いて、図５を参照して、基地局１０及び携帯電話機２０に係る処理の流れについて説明する。
図５は、本実施形態に係る規制部１７による通信規制状態における、携帯電話機２０及び基地局１０の発呼要求に係る処理の流れの一例を示すフローチャートである。なお、発呼要求に含まれている緊急発呼要求フラグの初期値は、ＯＦＦに設定されるものとする。また、携帯電話機２０は、基地局１０から規制信号及び確率情報を受信しているものとする。
【００６４】
ステップＳ１０１において、第２制御部２８は、操作部２２及び緊急操作部２３により発呼要求の入力を受け付けたか否かを判定する。第２制御部２８は、この判定がＹＥＳの場合、ステップＳ１０２に処理を移し、この判定がＮＯの場合、ステップＳ１０１の処理を再実行する。
【００６５】
ステップＳ１０２において、第２制御部２８は、発呼要求が緊急操作部２３によるものか否かを判定する。第２制御部２８は、この判定がＹＥＳの場合、ステップＳ１０３に処理を移し、この判定がＮＯの場合、ステップＳ１０５に処理を移す。
【００６６】
ステップＳ１０３において、第２制御部２８は、基地局１０から受信した確率情報に基づいて、第２記憶部２６に記憶されている合格率を非緊急発呼要求の場合とは異なる値に設定する。なお、発呼要求に係る通話が終了した場合や、発呼要求が切断された場合、第２制御部２８は、合格率を元の値に戻す設定をする。
ステップＳ１０４において、第２制御部２８は、緊急発呼要求フラグをＯＮに設定する。
【００６７】
ステップＳ１０５において、第２制御部２８は、第２記憶部２６に記憶されている確率情報（合格率）に基づいてパーシステンステストを実行する。
ステップＳ１０６において、第２制御部２８は、ステップＳ１０５において実行されたパーシステンステストに合格したか否かを判定する。第２制御部２８は、この判定がＹＥＳの場合、処理をステップＳ１０７に移し、この判定がＮＯの場合、処理をステップＳ１０５に移す。
【００６８】
ステップＳ１０７において、第２制御部２８は、第２通信部２５に、基地局１０に対して発呼要求（オリジネーションメッセージ）を送信させる。
ステップＳ１０８において、第１制御部１８は、第１通信部１５により、携帯電話機２０から所定の宛先への発呼要求（オリジネーションメッセージ）を受信する。
【００６９】
ステップＳ１０９において、第１制御部１８は、ステップＳ１０８において受信した発呼要求が緊急発呼要求であるか否かを判定する。具体的には、第１制御部１８は、この発呼要求に含まれている緊急発呼要求フラグに基づいて、発呼要求が緊急発呼要求であるか否かを判定する。第１制御部１８は、この判定がＹＥＳの場合、処理をステップＳ１１０に移し、この判定がＮＯの場合、処理をステップＳ１１３に移す。
【００７０】
ステップＳ１１０において、第１制御部１８は、ステップＳ１０８において受信した発呼要求に含まれる所定の宛先が緊急電話番号か否かを判定する。具体的には、第１制御部１８は、ステップＳ１０８において受信した発呼要求に含まれる所定の宛先が、第１記憶部１６に記憶されている特定の宛先であるか否かを判定する。第１制御部１８は、この判定がＹＥＳの場合、処理をステップＳ１１１に移し、この判定がＮＯの場合、処理をステップＳ１１２に移す。
【００７１】
ステップＳ１１１において、第１制御部１８は、携帯電話機２０と、この発呼要求に対応する所定の宛先との通信を接続する。この処理が完了すると、本フローチャートに係る処理を終了する。すなわち、携帯電話機２０は、通話可能状態となる。
【００７２】
ステップＳ１１２において、第１制御部１８は、発呼要求情報を、ショートメッセージ機能（ショートメッセージサービス）を使用して、第１通信部１５により所定の宛先に送信させる。
【００７３】
ステップＳ１１３において、第１制御部１８は、携帯電話機２０に切断要求（リリースオーダー）を送信する。
【００７４】
ステップＳ１１４において、第２制御部２８は、基地局１０から切断要求（リリースオーダー）を受信する。
ステップＳ１１５において、第２制御部２８は、ステップＳ１１４において、切断要求（リリースオーダー）を受信したことに応じて、基地局１０との通信を切断する。
【００７５】
以上のように、本実施形態の通信システム１によれば、第１制御部１８は、規制部１７による通信規制状態において、第１通信部１５により携帯電話機２０から所定の宛先への発呼要求を受信した場合、所定の宛先に携帯電話機２０からの発呼を示す発呼要求情報を送信させ、この発呼要求に基づく携帯電話機２０との通信を切断する。
よって、通信システム１の基地局１０は、携帯電話機２０から受信した発呼要求に基づいて携帯電話機２０との通信を切断するので、通信規制状態において、基地局の負担を抑制することができる。更に、携帯電話機２０との通信を切断するので、輻輳状態又は輻輳状態に近い状態から回復させて、緊急の場合に、通信相手に対して最小限の連絡をすることができる。
【００７６】
また、本実施形態の通信システム１によれば、第１制御部１８は、携帯電話機２０に発呼要求に対する切断要求を送信させる。また、第２制御部２８は、基地局１０から切断要求を受信した場合に、基地局１０との通信を切断させる。
【００７７】
よって、通信システム１は、携帯電話機２０による通信を制御するとともに、所定の宛先に対して発呼を示す発呼要求情報を送信することができるので、通信規制状態において、基地局の負担を抑制するとともに、携帯電話機２０の負担を抑制することができる。
【００７８】
また、本実施形態の通信システム１によれば、第１制御部１８は、規制部１７による通信規制状態において、第１通信部１５により発呼要求を受信した際に、当該発呼要求が緊急発呼要求であるかを判定し、発呼要求が緊急発呼要求である場合、第１通信部１５に所定の宛先に対して発呼要求情報を送信させ、発呼要求が緊急発呼要求でない場合、第１通信部１５に前記所定の宛先に対して前記発呼要求情報を送信させない。
【００７９】
よって、通信システム１は、発呼要求が緊急発呼要求である場合に限定して、所定の宛先に対して発呼要求情報を送信させるので、不要な発呼要求に対する発呼要求情報の送信を抑制し、更に、基地局１０の負担を抑制することができる。
【００８０】
また、本実施形態の通信システム１によれば、第１制御部１８は、規制部１７による通信規制状態において、第１通信部１５により発呼要求を受信した際に、この発呼要求が緊急発呼要求であるか否かにかかわらず、携帯電話機２０に切断要求を送信させる。このようにすることで、通信システム１では、携帯電話機２０による通信を切断することができるので、通信規制状態における通信を抑制し、通信ネットワークＮの輻輳の解消を促進することができる。
【００８１】
また、本実施形態の通信システム１によれば、基地局１０は、規制部１７による通信規制状態において、第１通信部１５により発呼要求であるオリジネーションメッセージを受信した際に、携帯電話機２０に切断要求であるリリースオーダーを第１通信部１５に送信させる。よって、通信システム１では、サービスの接続を行わずに、リリースオーダーを送信して通信の切断を行うため、基地局１０における負荷を抑制することができ、携帯電話機２０の負担を抑制することができる。
【００８２】
また、本実施形態の通信システム１によれば、第１制御部１８は、第１通信部１５により、ショートメッセージサービスを使用して発呼要求情報を送信させる。よって、通信システム１は、既存の技術を利用して、簡易的に発呼要求情報を送信することができる。
【００８３】
また、本実施形態の通信システム１によれば、第２制御部２８は、操作部２２により発呼要求を受け付けた場合、又は緊急操作部２３により緊急発呼要求を受け付けた場合、所定の条件に基づいて、第２通信部２５による発呼要求の送信を規制する。更に、所定の条件は、発呼要求が緊急発呼要求の場合、発呼要求が非緊急発呼要求の場合に比べて満たし易い条件である。よって、通信システム１では、緊急発呼要求の場合、非緊急発呼要求の場合よりも規制されにくい状態としつつ、携帯電話機２０側において通信規制状態における通信を抑制することができる。
【００８４】
また、本実施形態の通信システム１によれば、第２制御部２８は、発呼要求が緊急発呼要求である場合のパーシステンステストの合格率を、非緊急発呼要求の合格率より高く設定する。よって、通信システム１では、携帯電話機２０は、発呼要求が緊急発呼要求である場合に、非緊急発呼要求の場合に比べてパーシステンステストに合格しやすいので、緊急発呼要求を優先的に基地局１０に送信させることができる。
【００８５】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００８６】
１  通信システム
１０  基地局
１５  第１通信部（通信部）
１６  第１記憶部
１７  規制部
１８  第１制御部（制御部）
２０  携帯電話機（携帯端末装置）
２２  操作部（入力部）
２３  緊急操作部（入力部）
２５  第２通信部（通信部）
２６  第２記憶部
２８  第２制御部（通信規制部）
【図１】
2012023642.tif 000003
【図２】
2012023642.tif 000004
【図３】
2012023642.tif 000005
【図４】
2012023642.tif 000006
【図５】
2012023642.tif 000007